(57)【要約】  本発明の一実施例によるバッテリーモジュールは、複数のバッテリーセルが積層された単位モジュールが複数個が積層されて形成された単位モジュール積層体と、相互に隣接した前記単位モジュールの間に挟まれるスウェリング吸収パッドと、前記単位モジュール積層体及びスウェリング吸収パッドを収容するモジュールハウジングと、を含み、前記スウェリング吸収パッドは、長手方向に沿って延びて形成された冷却水流路を備える。
2021530090.tif 000002
【特許請求の範囲】
【請求項１】
複数のバッテリーセルが積層された単位モジュールが複数個積層されて形成された単位モジュール積層体と、
相互に隣接した前記単位モジュールの間に挟まれるスウェリング吸収パッドと、
前記単位モジュール積層体及びスウェリング吸収パッドを収容するモジュールハウジングと、を含み、
前記スウェリング吸収パッドは、
長手方向に沿って延びて形成された冷却水流路を備えることを特徴とする、バッテリーモジュール。
【請求項２】
前記冷却水流路は、
前記スウェリング吸収パッドの長手方向の一側に備えられる流入部と、
前記スウェリング吸収パッドの長手方向の他側に備えられる流出部と、
前記流入部と流出部とを連結し、前記流入部及び流出部よりも広い断面積を有する冷却部と、を含むことを特徴とする、請求項１に記載のバッテリーモジュール。
【請求項３】
前記冷却水流路は、前記冷却水流路を通じて流れる冷却水が前記スウェリング吸収パッドと接する一対のバッテリーセルと直接接触するように開放された形態を有することを特徴とする、請求項１または２に記載のバッテリーモジュール。
【請求項４】
前記流入部は、前記流出部よりも上部に位置することを特徴とする、請求項２に記載のバッテリーモジュール。
【請求項５】
前記バッテリーモジュールは、
前記単位モジュール積層体の積層方向の一側から前記モジュールハウジングを貫通して形成されるエアインレットと、
前記単位モジュール積層体の積層方向の他側から前記モジュールハウジングを貫通して形成されるエアアウトレットと、を含むことを特徴とする、請求項１から４のいずれか一項に記載のバッテリーモジュール。
【請求項６】
前記バッテリーモジュールは、
前記エアインレット及びエアアウトレットの内側に配置され、前記バッテリーモジュール内へ流入した冷却水との接触によって膨脹して前記エアインレット及びエアアウトレットを閉塞する膨張パッドを含むことを特徴とする、請求項５に記載のバッテリーモジュール。
【請求項７】
前記バッテリーモジュールは、
前記単位モジュール積層体の幅方向の一側及び他側に各々結合する一対のバスバーフレームを含むことを特徴とする、請求項６に記載のバッテリーモジュール。
【請求項８】
前記エアインレット及びエアアウトレットは、
前記バスバーフレームとモジュールハウジングとの間に形成される空間と対応する位置に形成されることを特徴とする、請求項７に記載のバッテリーモジュール。
【請求項９】
前記バッテリーモジュールは、
前記単位モジュール積層体の積層方向の一側または他側から前記モジュールハウジングを貫通し、前記バスバーフレームとモジュールハウジングとの間に形成される空間と連通する冷却水管挿入ホールを備えることを特徴とする、請求項７または８に記載のバッテリーモジュール。
【請求項１０】
パックハウジングと、
前記パックハウジング内に積層された複数のバッテリーモジュールと、
前記複数のバッテリーモジュールを含むモジュール積層体の上部に配置され、冷却水を貯蔵するウォータータンクと、
前記ウォータータンクとバッテリーモジュールとを連結する冷却水管と、
前記パックハウジング内に設けられ、複数のバッテリーモジュールの少なくとも一部で発生した熱暴走現象を検知する少なくとも一つのセンサと、
前記センサによって熱暴走現象が検知されると、前記冷却水管を通して冷却水が前記バッテリーモジュールの内部へ流入するように制御信号を出力するコントローラと、を含む、バッテリーパック。
【請求項１１】
前記バッテリーパックは、前記冷却水管内に設けられる複数の弁を含み、
前記複数の弁の各々は、前記モジュール積層体をなす複数のバッテリーモジュールと隣接して設けられ、前記複数のバッテリーモジュールへ流入する冷却水の流れを個別的に許容または遮断することを特徴とする、請求項１０に記載のバッテリーパック。
【請求項１２】
前記センサは、前記複数のバッテリーモジュールの各々に設けられることを特徴とする、請求項１１に記載のバッテリーパック。
【請求項１３】
前記コントローラは、前記複数の弁のうち前記センサによって熱暴走現象が検知されたバッテリーモジュールと隣接して設けられた弁を開放するようにする制御信号を出力することを特徴とする、請求項１２に記載のバッテリーパック。
【請求項１４】
前記バッテリーモジュールは、
複数のバッテリーセルが積層された単位モジュールが複数個積層されて形成された単位モジュール積層体と、
相互に隣接した前記単位モジュールの間に挟まれるスウェリング吸収パッドと、
前記単位モジュール積層体及びスウェリング吸収パッドを収容するモジュールハウジングと、を含み、
前記スウェリング吸収パッドは、
その長手方向に沿って延びて形成された冷却水流路を備えることを特徴とする、請求項１０から１３のいずれか一項に記載のバッテリーパック。
【請求項１５】
前記冷却水流路は、
前記スウェリング吸収パッドの長手方向の一側に備えられる流入部と、
前記スウェリング吸収パッドの長手方向の他側に備えられる流出部と、
前記流入部と流出部とを連結し、前記流入部及び流出部よりも広い断面積を有する冷却部と、を含むことを特徴とする、請求項１４に記載のバッテリーパック。
【請求項１６】
前記冷却水流路は、前記冷却水流路を通して流れる冷却水が前記スウェリング吸収パッドと接する一対のバッテリーセルと直接接触するように開放された形態を有することを特徴とする、請求項１４または１５に記載のバッテリーパック。
【請求項１７】
前記流入部は、前記流出部よりも上部に位置することを特徴とする、請求項１５に記載のバッテリーパック。
【請求項１８】
請求項１から９のいずれか一項に記載のバッテリーモジュールを複数個含む、ＥＳＳ。
【発明の詳細な説明】
【技術分野】
【０００１】
本発明は、熱暴走現象が発生したとき、内部に投入された冷却水が流れ得る経路を有するバッテリーモジュール、それを含むバッテリーパック及びＥＳＳ（ｅｎｅｒｇｙ  ｓｔｏｒａｇｅ  ｓｙｓｔｅｍ）に関し、より詳しくは、熱暴走現象が発生したバッテリーモジュールの内部に水が投入された場合において、投入された冷却水が相互に隣接した単位モジュールの間に円滑に移動できる構造を有するバッテリーモジュール、それを含むバッテリーパック及びＥＳＳに関する。
【０００２】
本出願は、２０１９年５月３０日出願の韓国特許出願第１０−２０１９−００６３９９９号及び２０１９年６月１０日出願の韓国特許出願第１０−２０１９−００６８０５３に基づく優先権を主張し、該当出願の明細書及び図面に開示された内容は、すべて本出願に組み込まれる。
【背景技術】
【０００３】
複数のバッテリーセルを含む形態のバッテリーモジュールにおいて、一部のバッテリーセルに短絡の発生などの異常が生じて持続的に温度が上昇し、これによってバッテリーセルの温度が臨界温度を超えると、熱暴走現象が発生する。このように一部のバッテリーセルにおいて熱暴走現象が発生すると、安全性のイシューが発生する。
【０００４】
一部のバッテリーセルで起こった熱暴走現象によって火炎などが発生するようになると、隣接したバッテリーセルの温度を急上昇させ、これによって短い時間内に隣接したセルへの熱暴走現象が移され得る。
【０００５】
結局、一部のバッテリーセルで発生した熱暴走現象に迅速に対処できない場合、バッテリーセルよりも大きい容量の電池単位であるバッテリーモジュールやバッテリーパックの発火及び爆発などの災害につながり、これは財産的な被害のみならず、安全性の問題までも惹起し得る。
【０００６】
したがって、バッテリーモジュールの内部における一部のバッテリーセルで熱暴走現象による火炎が発生する場合、バッテリーモジュールの内部温度を迅速に低めて火炎がより大きく広がることを阻むことが急務である。
【０００７】
バッテリーモジュールの内部に収容されるセル積層体は、一定の個数のバッテリーセルを一つの単位モジュールにして相互に隣接した単位モジュールの間ごとにスウェリング（ｓｗｅｌｌｉｎｇ）を吸収可能な空間確保のためのパッドが挟まれた構造を有する。
【０００８】
このような構造を有するバッテリーモジュールにおいて、内部に熱暴走現象が発生する場合、バッテリーモジュールの内部に冷却水が投入されるとしても、パッドによって隣接した単位モジュールの間を冷却水が円滑に流れないという問題がある。
【０００９】
そこで、このようなパッド挿入構造を採用しながらも、冷却水の円滑な流れを確保することができる構造を有するバッテリーモジュールの開発が要求される。
【００１０】
また、空冷式構造を採択しているバッテリーモジュールの場合、バッテリーモジュールの内部温度を低めて火炎を鎮火するために冷却水を投入しても、冷却水が内部に留まらず、漏れ出し得る空気流路が存在する。したがって、熱暴走現象が発生したバッテリーモジュールの内部に冷却水を投入したとき、このような空気流路が遮断可能な構造を有するバッテリーパック構造の開発が要求される実情である。
【発明の概要】
【発明が解決しようとする課題】
【００１１】
本発明は、上記問題点に鑑みてなされたものであり、バッテリーモジュールの内部における一部のバッテリーセルで熱暴走現象による火炎が発生する場合、バッテリーモジュールの内部温度を迅速に低めて火炎のさらなる広がりを阻むことを目的とする。
【００１２】
但し、本発明が解決しようとする技術的課題は、前述の課題に制限されず、言及していないさらに他の課題は、下記する発明の説明から当業者にとって明確に理解されるであろう。
【課題を解決するための手段】
【００１３】
上記の課題を達成するための本発明の一実施例によるバッテリーモジュールは、複数のバッテリーセルが積層された単位モジュールが複数個積層されて形成された単位モジュール積層体と、相互に隣接した前記単位モジュールの間に挟まれるスウェリング吸収パッドと、前記単位モジュール積層体及びスウェリング吸収パッドを収容するモジュールハウジングと、を含み、前記スウェリング吸収パッドは、長手方向に沿って延びて形成された冷却水流路を備える。
【００１４】
前記冷却水流路は、前記スウェリング吸収パッドの長手方向の一側に備えられる流入部と、前記スウェリング吸収パッドの長手方向の他側に備えられる流出部と、前記流入部と流出部とを連結し、前記流入部及び流出部よりも広い断面積を有する冷却部と、を含み得る。
【００１５】
前記冷却水流路は、前記冷却水流路を通じて流れる冷却水が前記スウェリング吸収パッドと接する一対のバッテリーセルと直接接触するように開放された形態を有し得る。
【００１６】
前記流入部は、前記流出部よりも上部に位置し得る。
【００１７】
前記バッテリーモジュールは、前記単位モジュール積層体の積層方向の一側から前記モジュールハウジングを貫通して形成されるエアインレットと、前記単位モジュール積層体の積層方向の他側から前記モジュールハウジングを貫通して形成されるエアアウトレットと、を含み得る。
【００１８】
前記バッテリーモジュールは、前記エアインレット及びエアアウトレットの内側に配置され、前記バッテリーモジュール内へ流入した冷却水との接触によって膨脹して前記エアインレット及びエアアウトレットを閉塞する膨張パッドを含み得る。
【００１９】
前記バッテリーモジュールは、前記単位モジュール積層体の幅方向の一側及び他側に各々結合する一対のバスバーフレームを含み得る。
【００２０】
前記エアインレット及びエアアウトレットは、前記バスバーフレームとモジュールハウジングとの間に形成される空間と対応する位置に形成され得る。
【００２１】
前記バッテリーモジュールは、前記単位モジュール積層体の積層方向の一側または他側から前記モジュールハウジングを貫通し、前記バスバーフレームとモジュールハウジングとの間に形成される空間と連通する冷却水管挿入ホールを備え得る。
【００２２】
上記の課題を達成するための本発明の一実施例によるバッテリーパックは、上述したような本発明の一実施例によるバッテリーモジュールを複数個含む。
【００２３】
また、上記の課題を達成するための本発明の一実施例によるＥＳＳは、上述したような本発明の一実施例によるバッテリーモジュールを複数個含む。
【発明の効果】
【００２４】
本発明の一面によれば、バッテリーモジュールの内部における一部のバッテリーセルで熱暴走現象による火炎が発生する場合、バッテリーモジュールの内部温度を迅速に低めて火炎がさらに広がることを防止することができる。即ち、隣接した単位モジュールの間にスウェリング吸収のためのパッドが挟まれる構造を有するバッテリーモジュールの内部に冷却水が投入されたとき、パッドによって隣接した単位モジュールの間を冷却水が円滑に流れない問題を解決することで、バッテリーモジュールの内部温度を速かに低めることができる。
【００２５】
また、本発明の他面によれば、空冷式バッテリーモジュールを含むバッテリーパックにおいて、熱暴走現象が発生したバッテリーモジュールの内部に冷却水を投入したとき、冷却水がバッテリーモジュールの内部に留まるように冷却のための空気流路が遮断可能な構造を適用することで、熱暴走現象の広がりを効果的に阻むことができる。
【００２６】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図面の簡単な説明】
【００２７】
【図１】本発明の一実施例によるＥＳＳ（ｅｎｅｒｇｙ  ｓｔｏｒａｇｅ  ｓｙｓｔｅｍ）を示す図である。
【図２】本発明の一実施例によるバッテリーパックにおいて、ウォータータンクとバッテリーモジュールとの連結構造及びウォータータンクとコントローラとの関係を説明するための図である。
【図３】本発明の一実施例によるバッテリーパックにおいて、センサとコントローラとウォータータンクとの関係を説明するための図である。
【図４】本発明の一実施例によるバッテリーパックに適用されるバッテリーモジュールを示す斜視図である。
【図５】本発明の一実施例によるバッテリーパックに適用されるバッテリーモジュールを示す斜視図である。
【図６】本発明の一実施例によるバッテリーパックに適用されるバッテリーモジュールの内部構造が見えるように示した図である。
【図７】本発明の一実施例によるバッテリーパックに適用されるバッテリーモジュールの内部構造が見えるように示した図である。
【図８】本発明の一実施例によるバッテリーモジュールに適用されるスウェリング吸収パッドの具体的な構造を示す図である。
【図９】本発明の一実施例によるバッテリーモジュールに適用されるスウェリング吸収パッドの具体的な構造を示す図である。
【図１０】本発明の一実施例によるバッテリーパックに適用される膨張パッドを示す図である。
【図１１】本発明の他の実施例によるバッテリーパックにおいて、ウォータータンクとバッテリーモジュールとの連結構造、及び弁とコントローラとウォータータンクとの関係を説明するための図である。
【発明を実施するための形態】
【００２８】
以下、添付された図面を参照して本発明の望ましい実施例を詳しく説明する。これに先立ち、本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００２９】
図１を参照すれば、本発明の一実施例によるＥＳＳ（ｅｎｅｒｇｙ  ｓｔｏｒａｇｅ  ｓｙｓｔｅｍ）は、本発明の一実施例によるバッテリーパック１００を複数個含む。
【００３０】
図１〜図３を参照すれば、本発明の一実施例によるバッテリーパック１００は、パックハウジング１１０、バッテリーモジュール１２０、ウォータータンク１３０、コントローラ１４０、冷却水管１５０及びセンサ１６０を含む。
【００３１】
上記パックハウジング１１０は、バッテリーパック１００の外観を定義するほぼ長方形のフレームであって、その内部に複数のバッテリーモジュール１２０、ウォータータンク１３０、コントローラ１４０、冷却水管１５０及びセンサ１６０が設けられる空間を形成する。
【００３２】
上記バッテリーモジュール１２０は、複数個が備えられ、複数のバッテリーモジュール１２０は、パックハウジング１１０内で上下に積層されて一つのモジュール積層体をなす。上記バッテリーモジュール１２０の具体的な構造については、図４〜図１０を参照して後述する。
【００３３】
上記ウォータータンク１３０は、パックハウジング１１０内に備えられ、バッテリーモジュール１２０の熱暴走現象の発生時、バッテリーモジュール１２０に供給される冷却水を貯蔵する。上記ウォータータンク１３０は、迅速かつ円滑な冷却水の供給のためにモジュール積層体の上部に配置され得る。この場合、別の冷却水ポンプを用いなくても、自由落下及び冷却水の水圧によって冷却水を迅速にバッテリーモジュール１２０の内部に供給できる。勿論、より迅速かつ円滑に冷却水を供給するためにウォータータンク１３０に別の冷却水ポンプを適用してもよい。
【００３４】
上記コントローラ１４０は、センサ１６０及びウォータータンク１３０と連結され、センサ１６０のセンシング信号に応じてウォータータンク１３０を開放させる制御信号を出力し得る。また、上記コントローラ１４０は、このような機能に加え、バッテリーモジュール１２０各々と接続して充放電を管理するＢＭＳ（ｂａｔｔｅｒｙ  ｍａｎａｇｅｍｅｎｔ  ｓｙｓｔｅｍ）としての機能を行うことも可能である。
【００３５】
上記コントローラ１４０は、複数のバッテリーモジュール１２０の少なくとも一つで発生した熱暴走現象によってバッテリーパック１００の内部でガスが検知されるか、または基準値以上に温度上昇が検知される場合、ウォータータンク１３０を開放させる制御信号を出力し、これによって冷却水がバッテリーモジュール１２０の内部に供給されるようにする。
【００３６】
上記コントローラ１４０の制御信号に応じてウォータータンク１３０が開放される場合、冷却水は、相対的に上部に位置するバッテリーモジュール１２０から相対的に下部に位置するバッテリーモジュール１２０に順次に供給される。したがって、上記バッテリーモジュール１２０の内部の火炎鎮火及びバッテリーモジュール１２０の冷却が行われ、これによって、熱暴走現象のバッテリーパック１００全体への拡散を防止することができる。
【００３７】
上記冷却水管１５０は、ウォータータンク１３０とバッテリーモジュール１２０とを連結し、ウォータータンク１３０から供給される冷却水をバッテリーモジュール１２０へ移送する通路として機能する。このような機能を果たすために、上記冷却水管１５０の一端はウォータータンクと連結され、他端はバッテリーモジュール１２０の個数だけ分岐されて複数のバッテリーモジュール１２０の各々に連結される。
【００３８】
上記センサ１６０は、上述したように、複数のバッテリーモジュール１２０の少なくとも一部から熱暴走現象が発生する場合、温度の上昇及び／またはガスの噴出を検知して検知信号をコントローラ１４０に送出する。このような機能を果たすために、上記センサ１６０は、温度センサまたはガス検知センサであってもよく、温度センサとガス検知センサとが組み合わせられた形態を有してもよい。
【００３９】
上記センサ１６０は、バッテリーパック１００の内部の温度上昇またはガス発生を検知するために、パックハウジング１１０の内部に設けられる。上記センサ１６０は、バッテリーモジュール１２０の温度及び／またはバッテリーモジュール１２０から発生するガスを迅速にセンシングするために複数のバッテリーモジュール１２０の各々の内側または外側に付着され得る。
【００４０】
次は、図４〜図１０を参照して、本発明の一実施例によるバッテリーパック１００に適用されるバッテリーモジュール１２０についてより詳しく説明する。
【００４１】
図４〜図１０を参照すれば、上記バッテリーモジュール１２０は、複数のバッテリーセル１２１、バスバーフレーム１２２、モジュールハウジング１２３、エアインレット１２４、エアアウトレット１２５及び膨張パッド１２７を含むように具現され得る。また、上記バッテリーモジュール１２０は、上述した構成要素に加え、スウェリング吸収パッド１２６をさらに含み得る。
【００４２】
上記バッテリーセル１２１は、複数個が備えられ、複数のバッテリーセル１２１は積層されて一つの単位モジュール１２１Ａをなし、このような単位モジュール１２１Ａが複数個積層されて一つの単位モジュール積層体をなす。上記バッテリーセル１２１としては、例えば、パウチ型バッテリーセルが適用され得る。上記バッテリーセル１２１は、長手方向の両側へ各々引き出される一対の電極リード１２１ａを備える。
【００４３】
上記バスバーフレーム１２２は一対が備えられ、各々のバスバーフレーム１２２は、単位モジュール積層体の幅方向の一側及び他側をカバーする。上記バッテリーセル１２１の電極リード１２１ａは、バスバーフレーム１２２に形成されたスリットを通して引き出され、折り曲げられてバスバーフレーム１２２の上に溶接などによって固定される。即ち、上記複数のバッテリーセル１２１は、バスバーフレーム１２２によって電気的に接続し得る。
【００４４】
上記モジュールハウジング１２３は、ほぼ直方体形状を有し、内部に単位モジュール積層体を収容する。上記モジュールハウジング１２３の長手方向の一側面及び他側面にはエアインレット１２４及びエアアウトレット１２５が形成される。
【００４５】
上記エアインレット１２４は、モジュール積層体の積層方向の一側、即ち、バッテリーモジュール１２０の長手方向の一側に形成され、モジュールハウジング１２３を貫通するホール形態に形成される。上記エアアウトレット１２５は、モジュール積層体の積層方向の他側、即ち、バッテリーモジュール１２０の長手方向の他側に形成され、モジュールハウジング１２３を貫通するホール形態に形成される。
【００４６】
上記エアインレット１２４及びエアアウトレット１２５は、相互にバッテリーモジュール１２０の長手方向に沿って対角線で横切って反対側に位置する。
【００４７】
一方、上記バスバーフレーム１２２とモジュールハウジング１２３との間には、空間が形成される。即ち、上記モジュールハウジング１２３の６個の面のうちバッテリーセル１２１の長手方向の一側及び他側と対向する面とバスバーフレーム１２２との間には、バッテリーセル１２１の冷却のための空気が流れ得る空間が形成される。上記空間は、バッテリーモジュール１２０の幅方向の両側に各々形成される。
【００４８】
上記エアインレット１２４は、バッテリーモジュール１２０の幅方向の一側に形成される空間と対応する位置に形成され、エアアウトレット１２５は、バッテリーモジュール１２０の幅方向の他側に形成される空間と対応する位置に形成される。
【００４９】
上記バッテリーモジュール１２０において、エアインレット１２４を通して内部へ流入した空気は、バッテリーモジュール１２０の幅方向の一側に形成された空間からバッテリーモジュール１２０の幅方向の他側に形成された空間へ移動しながらバッテリーセル１２１を冷却した後、エアアウトレット１２５を通してバッテリーモジュール１２０の外部へ抜け出る。即ち、上記バッテリーモジュール１２０は、空冷式バッテリーモジュールである。
【００５０】
上記冷却水管１５０は、モジュール積層体の積層方向の一側または他側からモジュールハウジング１２３を貫通してバスバーフレーム１２２とモジュールハウジング１２３との間に形成される上記空間と連通する。上記モジュールハウジング１２３の６個の面のうちエアインレット１２４が形成された面またはエアアウトレット１２５が形成された面には、冷却水管１５０が挿入される冷却水管挿入ホール１２３ａが形成される。このような冷却水管挿入ホール１２３ａは上記空間と連通し、冷却水管１５０は冷却水管挿入ホール１２３ａを通してバッテリーモジュール１２０の内部に挿入される。上記冷却水管挿入ホール１２３ａは、バッテリーモジュール１２０の幅方向に沿ってエアインレット１２４の反対側またはエアアウトレット１２５の反対側に形成され得る。
【００５１】
上記冷却水管１５０を通してバッテリーモジュール１２０の内部へ流入した冷却水は、図４及び図５に示したように、バッテリーモジュール１２０の幅方向の一側に形成された空間からバッテリーモジュール１２０の幅方向の他側に形成された空間側へ流入され、バッテリーモジュール１２０の内部を満たす。
【００５２】
図７〜図９を参照すれば、上記バッテリーモジュール１２０は、モジュール積層体をなす単位モジュール１２１Ａの間に挟まれるスウェリング吸収パッド１２６を備え得る。上記スウェリング吸収パッド１２６は、例えば、シリコーン、グラファイト、ＥＰＰ（ｅｘｐａｎｄｅｄ  ｐｏｌｙｐｒｏｐｙｌｅｎｅ）、ＥＰＳ（ｅｘｐａｎｄｅｄ  ｐｏｌｙｓｔｙｌｅｎｅ）などの材質を含み得、バッテリーセル１２１のスウェリングによる体積の膨張を吸収できるように弾性を有する。
【００５３】
図７及び図８を参照すれば、上記スウェリング吸収パッド１２６は、相互に隣接した単位モジュール１２１Ａの間に冷却水が通過しながらバッテリーセル１２１を冷却できるように、冷却水が流れる経路を提供する冷却水流路Ｐを備える。
【００５４】
上記冷却水流路Ｐは、スウェリング吸収パッド１２６の長手方向の一側に形成される流入部１２６ａと、スウェリング吸収パッド１２６の長手方向の他側に形成される流出部１２６ｂと、流入部１２６ａと流出部１２６ｂとを連結する冷却部１２６ｃと、を含む。
【００５５】
上記冷却水流路Ｐは、冷却水流路Ｐを通して流れる冷却水がスウェリング吸収パッド１２６と接する一対のバッテリーセル１２１と直接接触するように開放された形態を有する。
【００５６】
上記バッテリーモジュール１２０の幅方向の一側に形成された空間へ流入した冷却水は、流入部１２６ａ、冷却部１２６ｃ及び流出部１２６ｂを順次に経てバッテリーモジュール１２０の幅方向の他側に形成された空間へ移動しながらバッテリーセル１２１と接触するようになり、これによってバッテリーセル１２１の冷却が行われる。
【００５７】
上記冷却部１２６ｃは、流入部１２６ａを通して相互に隣接したバッテリーセル１２１の間へ流入した冷却水が可能な限り長く留まるようにするために、流入部１２６ａ及び流出部１２６ｂよりも広い断面積を有する。
【００５８】
これによって、上記流入部１２６ａを通して流入した冷却水は、冷却部１２６ｃでその流速が遅くなり、バッテリーセル１２１と接触可能な十分な時間を有するようになる。このようにバッテリーセル１２１との熱交換が終了した冷却水は、流出部１２６ｂを通して抜け出る。
【００５９】
一方、図９を参照すれば、上記流入部１２６ａは、流出部１２６ｂよりも上部に位置するように形成され得る。このように、上記冷却水流路Ｐは、流入部１２６ａが流出部１２６ｂよりも上部に位置する構造を有する場合、冷却水の流れがより円滑になり、これによって冷却効率が向上する。
【００６０】
図１０を参照すれば、上記膨張パッド１２７は、エアインレット１２４及びエアアウトレット１２５の内側に配置され、エアインレット１２４及びエアアウトレット１２５の開放面積よりも小さいサイズを有する。上記膨張パッド１２７は、バッテリーモジュール１２０の正常な使用状態でエアインレット１２４及びエアアウトレット１２５を介する空気の流れを円滑にするために、エアインレット１２４及びエアアウトレット１２５の開放面積に対して３０％未満のサイズを有することが望ましい。
【００６１】
上記膨張パッド１２７は、バッテリーモジュール１２０の内部へ流入した冷却水と接触することで膨張し、エアインレット１２４及びエアアウトレット１２５を閉塞する。上記膨張パッド１２７は、水分を吸収する場合、非常に大きい膨張率を示す樹脂を含むものであって、十分な量の水分が提供される場合、初期の体積に対して少なくとも二倍以上にその体積が増加する樹脂を含む。上記膨張パッド１２７に用いられる樹脂としては、例えば、ポリエステルステープルファイバー（ｐｏｌｙｅｓｔｅｒ  ｓｔａｐｌｅ  ｆｉｂｅｒ）が挙げられる。
【００６２】
上記膨張パッド１２７の適用によって、少なくとも一部のバッテリーモジュール１２０で熱暴走現象が発生してバッテリーモジュール１２０の内部に冷却水が流入する場合、エアインレット１２４及びエアアウトレット１２５は閉塞する。このように上記エアインレット１２４及びエアアウトレット１２５が閉塞される場合、バッテリーモジュール１２０の内部へ流入した冷却水は、外部へ抜け出ず、バッテリーモジュール１２０の内部に溜まるようになり、これによって、バッテリーモジュール１２０で発生した熱暴走現象を速く解消可能になる。
【００６３】
次は、図１１を参照して、本発明の他の実施例によるバッテリーパックを説明する。
【００６４】
本発明の他の実施例によるバッテリーパックは、前述した本発明の一実施例によるバッテリーパック１００と比較して冷却水管１５０内に弁１７０が設置されていることが相違するだけで、他の構成要素は実質的に同一である。  
【００６５】
したがって、本発明の他の実施例によるバッテリーパックを説明するに際し、弁１７０について重点的に説明し、前述した実施例と重複する説明は省略する。
【００６６】
上記弁１７０は、バッテリーモジュール１２０の個数だけ複数個が備えられ、各々の弁１７０は、複数のバッテリーモジュール１２０と隣接して設けられ、複数のバッテリーモジュール１２０へ流入する冷却水の流れを個別的に許容または遮断する。
【００６７】
このように、複数の弁１７０を独立的に動作させるために、センサ１６０は、各々のバッテリーモジュール１２０ごとに少なくとも一つ以上が備えられる。このように上記センサ１６０が各々のバッテリーモジュール１２０ごとに備えられる場合、熱暴走現象が発生した一部のバッテリーモジュール１２０のみに冷却水を投入することが可能になる。
【００６８】
即ち、上記コントローラ１４０は、一部のセンサ１６０から検知信号を受信するようになれば、検知信号を送出したセンサ１６０が付着されたバッテリーモジュール１２０で熱暴走現象が発生したと判断し、複数の弁１７０のうち熱暴走現象が発生したバッテリーモジュール１２０に隣接して設けられた弁１７０を開放して冷却水が投入されるようにする。
【００６９】
以上、本発明を限定された実施例と図面によって説明したが、本発明はこれに限定されず、本発明が属する技術分野における通常の知識を持つ者によって本発明の技術思想と特許請求の範囲の均等範囲内で多様な修正及び変形が可能であることは言うまでもない。
【符号の説明】
【００７０】
１００  バッテリーパック
１１０  パックハウジング
１２０  バッテリーモジュール
１２１  バッテリーセル
１２１ａ  電極リード
１２１Ａ  単位モジュール
１２２  バスバーフレーム
１２３  モジュールハウジング
１２３ａ  冷却水管挿入ホール
１２４  エアインレット
１２５  エアアウトレット
１２６  スウェリング吸収パッド
１２６ａ  流入部
１２６ｂ  流出部
１２６ｃ  冷却部
１２７  膨張パッド
１３０  ウォータータンク
１４０  コントローラ
１５０  冷却水管
１６０  センサ
１７０  弁
【図１】
2021530090.tif 000003
【図２】
2021530090.tif 000004
【図３】
2021530090.tif 000005
【図４】
2021530090.tif 000006
【図５】
2021530090.tif 000007
【図６】
2021530090.tif 000008
【図７】
2021530090.tif 000009
【図８】
2021530090.tif 000010
【図９】
2021530090.tif 000011
【図１０】
2021530090.tif 000012
【図１１】
2021530090.tif 000013
【国際調査報告】
2021530090.tif 000014
2021530090.tif 000015
2021530090.tif 000016
2021530090.tif 000017